(57)【要約】【課題】まつ毛にマスカラを塗布したり、まつ毛にパーマを施したり、あるいは付けまつ毛を装着したりする際に目元に貼付して、パーマ液やグルー，マスカラが目元に付着しないようにしたり、目元を塗布具やピンセット等で傷付けられないようにすることができ、また、目元に貼付した際に粘着剤で違和感が生じたり目が刺激されたりするのを防止するとともに、また作業を終えて剥がしたときに皮膚に粘着剤が残ったとしても、その面積が狭いので拭き取りに要する時間は短くてすみ作業性に優れ、さらに施術者側は目元を保護しているという安心感があるため、まつ毛等の作業に集中することができ作業時間の短縮を図ることができる目元保護テープを提供することを目的とする。【解決手段】目元保護テープ１は、フィルム状に形成された基材２と、基材２の一面に形成された粘着層６と、粘着層６に貼付されたパッド材７と、を備える。【選択図】図１
2009082231.tif 000002
【特許請求の範囲】
【請求項１】
フィルム状に形成された基材と、前記基材の一面に形成された粘着層と、前記粘着層に貼付されたパッド材と、を備えていることを特徴とする目元保護テープ。
【請求項２】
前記パッド材が、上縁が前記基材の上縁と重なり、又は、上縁が前記基材の上縁より上方に突出して、両側縁が前記基材の両側縁の内側に位置するように前記粘着層に貼付されていることを特徴とする請求項１に記載の目元保護テープ。
【請求項３】
前記パッド材の下縁が、前記基材の下縁の内側に位置するように前記粘着層に貼付されていることを特徴とする請求項２に記載の目元保護テープ。
【請求項４】
前記基材及び前記パッド材の上縁、又は、前記パッド材の上縁が、湾入した曲線状に形成されていることを特徴とする請求項１乃至３の内いずれか１に記載の目元保護テープ。
【請求項５】
前記パッド材に美容液を含浸又は塗布していることを特徴とする請求項１乃至４の内いずれか１に記載の目元保護テープ。
【発明の詳細な説明】
【技術分野】
【０００１】
本発明は、まつ毛にマスカラを塗布したり、まつ毛にパーマを施したり、あるいは付けまつ毛を装着したりする際に、目元に貼付する目元保護テープに関するものである。
【背景技術】
【０００２】
従来より、目元をはっきりした印象にするため、まつ毛にマスカラを塗布したり、まつ毛にパーマを施したり、あるいは付けまつ毛を装着したりするアイメイクアップが行われている。
マスカラはブラシを用いてまつ毛に塗布するが、細かな作業なので、ときにはマスカラが目の縁に付着することがあった。マスカラがまつ毛以外の場所に付着すると、まつ毛に付けたマスカラに気をつけながら目の縁に付着したマスカラを拭い取らなければならず、細心の注意を要する細かな作業が強いられていた。マスカラがまつ毛以外の場所に付着するのを防止するため、マスカラを塗布する際に目元に当てて使用する、（特許文献１）や（特許文献２）に示すように合成樹脂等でヘラ状に形成されたマスカラ付着防止具は知られている。
まつ毛にパーマを施す場合も、ロッドにまつ毛を巻いたりパーマ液を塗布したりする細かな作業の繰り返しのため、不注意によりロッドや塗布具で目元を傷付けたり、まつ毛に塗布したパーマ液が目に沁みたりすることがあった。付けまつ毛を装着する作業も、付けまつ毛を一本ずつピンセット等で摘んでまつ毛の一本ずつにグルー（まつ毛専用接着剤）で接着する細かな作業のため、作業が長時間に及び、不注意によりピンセット等で目元を傷付けてしまうことがあった。また、グルーが目に沁みたりグルーで皮膚を傷めたりすることもあった。
これらを防止するため、まつ毛にパーマを施したり付けまつ毛を装着したりする際には、サージカルテープ（粘着テープ）を適当な長さに切り、目元に貼付し、パーマ液やグルーが目元に付着しないようにしたり、目元が塗布具やピンセット等で傷付けられないようにすることが行われていた。
【特許文献１】特許第３２９５４０６号公報
【特許文献２】特開２００３−３０４９３０号公報
【発明の開示】
【発明が解決しようとする課題】
【０００３】
しかしながら上記従来の技術においては、以下のような課題を有していた。
（１）（特許文献１）や（特許文献２）に開示の技術によれば、マスカラ付着防止具を手で持って目の周辺に当てて目の周辺を覆うことができるので、マスカラの塗布中に塗布具が目元に触れても、目元にマスカラが付着することを防止できる。しかし、手で持って目の周辺に押し当てて用いるので、まつ毛にパーマを施したり付けまつ毛を装着したりするように作業が長時間に及ぶような場合は、目の周辺に押し当て続けることはできないため使用できないという課題を有していた。
（２）まつ毛にパーマを施したり付けまつ毛を装着したりする際に目元にサージカルテープを貼付すると、サージカルテープ（粘着テープ）は全面に粘着剤が塗布されているため、粘着剤で違和感が生じたり目を刺激する原因となったりするという課題を有していた。また、皮膚の弱い人は、付着した粘着剤でかぶれることがあるという課題を有していた。
（３）作業を終えてサージカルテープを剥がしたときには、皮膚の広範囲に亘って粘着剤が残ることがあり、残った粘着剤を拭き取るのに時間を要し作業性に欠け、また粘着剤を拭き取るために目元を擦ると、圧迫された皮膚が黒ずんでしまうことがあるという課題を有していた。
【０００４】
本発明は上記従来の課題を解決するもので、まつ毛にマスカラを塗布したり、まつ毛にパーマを施したり、あるいは付けまつ毛を装着したりする際に目元に貼付して、パーマ液やグルー，マスカラが目元に付着しないようにしたり、目元を塗布具やピンセット等で傷付けられないようにすることができ、また、目元に貼付した際に粘着剤で違和感が生じたり目が刺激されたりするのを防止するとともに、皮膚の弱い人が粘着剤でかぶれてしまうのを防止でき、また作業を終えて剥がしたときに皮膚に粘着剤が残ったとしても、その面積が狭いので拭き取りに要する時間は短くてすみ作業性に優れ、さらに施術者側は目元を保護しているという安心感があるため、まつ毛等の作業に集中することができ作業時間の短縮を図ることができる目元保護テープを提供することを目的とする。
【課題を解決するための手段】
【０００５】
上記従来の課題を解決するために本発明の目元保護テープは、以下の構成を有している。
本発明の請求項１に記載の目元保護テープは、フィルム状に形成された基材と、前記基材の一面に形成された粘着層と、前記粘着層に貼付されたパッド材と、を備えた構成を有している。
この構成により、以下のような作用が得られる。
（１）フィルム状に形成された基材と、基材の一面に形成された粘着層と、粘着層に貼付されたパッド材と、を備えているので、まつ毛にマスカラを塗布したり、まつ毛にパーマを施したり、あるいは付けまつ毛を装着したりする際に目元に貼付して、パーマ液やグルー，マスカラが目元に付着しないようにしたり、目元を塗布具やピンセット等で傷付けられないようにすることができる。さらに、施術者側は目元を保護しているという安心感があるため、まつ毛等の作業に集中することができ作業時間の短縮につながる。
（２）粘着層にパッド材が貼付されているので、粘着層が露出する面積を少なくすることができ、目元に貼付した際に粘着剤で違和感が生じたり目が刺激されたりするのを防止し、また皮膚の弱い人が粘着剤でかぶれてしまうのを防止でき、さらに作業を終えて剥がすときには皮膚に与える負担を少なくすることができる。
（３）作業を終えて剥がしたときに皮膚に粘着剤が残ったとしても、その面積が狭いので拭き取りに要する時間は短くてすみ作業性に優れ、また粘着剤を拭き取る面積が狭いため強く擦らなくても拭き取りが可能なので、拭き取りの際に皮膚を圧迫することがなく皮膚に黒ずみが生じるのを防止できる。
【０００６】
ここで、基材としては、適度な強度を有しており皮膚に順応し得るものであれば、伸縮性を有するもの、非伸縮のもの、特に制限なく用いることができる。例えば、植物天然繊維，ナイロン繊維，ビニロン繊維，ポリエステル繊維，ポリエチレン繊維，ポリプロピレン繊維等の合成繊維等で形成された紙；ポリエステル製等の不織布；軟質ポリウレタン、ポリエステル、ポリウレタン、アクリル重合体、ポリエチレン、エチレン−酢酸ビニル共重合体、ポリエーテルポリエステル、ナイロン誘導体等の合成樹脂製フィルム；ポリ乳酸、コハク酸等の生分解性樹脂フィルム等を用いることができる。これらのうち、軟質ポリウレタン、アクリル重合体、ポリエチレン、ポリエーテルポリエステル、ナイロン誘導体は、フィルムにしたときに透明性を有しており水蒸気透過性にも優れているので、皮膚に接着した際に違和感がなく、また被覆した皮膚の呼吸を妨げることが少なく、かつ皮膚の白化現象を抑制することができるため好ましい。
基材の厚さとしては、１０〜１００μｍ、好ましくは１５〜７０μｍが好適である。皮膚に順応し得るようにするためである。
【０００７】
粘着層としては、天然ゴム系、合成ゴム系（ポリイソプレン、ポリイソブチレン、スチレン−イソプレン−スチレンブロック共重合体等）、アクリル酸系重合体、Ｎ−ビニルピロリドン、シリコーン系等の粘着剤を用いることができる。特に、透明性や皮膚に与える低刺激性などを考慮した場合、アクリル酸系重合体系の感圧性粘着剤が好適に用いられる。アクリル酸系重合体系の感圧性粘着剤としては、例えば、（メタ）アクリル酸、メチル（メタ）アクリレート、エチル（メタ）アクリレート、ブチル（メタ）アクリレート、イソブチル（メタ）アクリレート、ヘキシル（メタ）アクリレート、オクチル（メタ）アクリレート、２−エチルヘキシル（メタ）アクリレートなどが挙げられ、これらの１種もしくは２種以上が使用される。粘着剤に公知の粘着付与剤を配合して、粘着層の粘着力を増強することもできる。
【０００８】
また、粘着層としては、該粘着層の質量に対して水６６〜８８質量％、水溶性高分子６〜１５質量％好ましくは６．５〜１２質量％、及び、多価アルコール６〜１８質量％好ましくは６〜１２質量％を含有する粘着剤を用いても良い。
水溶性高分子としては、ゼラチン、ポリアクリル酸、寒天、アルギン酸、カルボキシメチルセルロース又はその塩、メチルセルロース又はその塩、ヒドロキシプロピルセルロース又はその塩、ポリビニールアルコールが挙げられる。特に、ゼラチン、ポリアクリル酸ナトリウムの塩が好ましい。
多価アルコールとしては、ポリエチレングリコール又はポリプロピレングリコールが挙げられる。具体的には、平均分子量が１５０〜５００のポリエチレングリコール、平均分子量が５００〜３０００のポリプロピレングリコールが好ましい。
【０００９】
パッド材としては、綿，麻，絹，木材パルプ，靭皮繊維等の天然繊維、ポリエステル，ポリウレタン，レーヨン等の合成繊維の織布、不織布又は紙等で、基材よりも小さめに形成されたものが用いられる。パッド材は、皮膚に対する刺激を緩和するため通気性があることが望ましい。
パッド材は、Ｌ−メントール等の清涼剤を含浸又は塗布することができる。目元に貼付した際に清涼感を与えるためである。また、深層水，ミネラル水等の水、グリセリン等の保湿成分を添加した化粧水を含浸することができる。これにより、皮膚を整えることができる。また、水分を含んだパッド材はグルーやパーマ液等を吸収しないため、パッド材に吸収されたグルーやパーマ液が皮膚に接触したり目に沁みたりするのを防止できる。
【００１０】
粘着層及び保護パッドには剥離シートを積層することができる。剥離シートは、例えばポリエチレン，ポリプロピレン，ポリエステル及びこれらの積層複合体等の合成樹脂製フィルム、上質紙，クラフト紙等の紙、アルミニウム等の金属箔等で形成されたものを用いることができる。これらの表面にシリコーン樹脂処理やフッ素樹脂処理等を施すことで、粘着層との剥離性を高めることができる。
【００１１】
目元保護テープは、基材に粘着剤を塗布して粘着層を形成した後、粘着層にパッド材を付着させ、粘着層及びパッド材を剥離シートで覆い、任意の形状に切断することにより製造することができる。
【００１２】
本発明の請求項２に記載の発明は、請求項１に記載の目元保護テープであって、前記パッド材が、上縁が前記基材の上縁と重なり、又は、上縁が前記基材の上縁より上方に突出して、両側縁が前記基材の両側縁の内側に位置するように前記粘着層に貼付された構成を有している。
この構成により、請求項１で得られる作用に加え、以下のような作用が得られる。
（１）パッド材の上縁が基材の上縁と重なり、又は、上縁が基材の上縁より上方に突出して、両側縁が基材の両側縁の内側に位置するように粘着層に貼付されているので、目元に貼付したときに瞼や瞼縁にパッド材は接触するが、粘着層が接触することはないため、粘着層による瞼への皮膚刺激やかぶれを緩和することができる。
【００１３】
パッド材の左右方向の長さは、瞼を覆うために必要な長さに形成される。具体的には、２５〜４０ｍｍ、好ましくは３０〜４０ｍｍに形成されたものが好適に用いられる。パッド材の長さが３０ｍｍより短くなるにつれ、目元に貼付したときにパッド材の横から瞼がはみ出す人が現れる傾向がみられ、２５ｍｍより短くなると、この傾向が著しくなるため好ましくない。また、４０ｍｍより長くなると、顔の小さな女性にはパッド材が長すぎて違和感が生じるため、好ましくない。
【００１４】
本発明の請求項３に記載の発明は、請求項２に記載の目元保護テープであって、前記パッド材の下縁が、前記基材の下縁の内側に位置するように前記粘着層に貼付された構成を有している。
この構成により、請求項２で得られる作用に加え、以下のような作用が得られる。
（１）パッド材の下縁が、基材の下縁の内側に位置するように粘着層に貼付されているので、パッド材の両側縁と下縁を皮膚に密着させることができるため、皮膚とパッド材との間に隙間が生じ難いので、皮膚とパッド材の隙間からグルーやパーマ液が皮膚に付着したり目に沁みたりすることを防止できる。
【００１５】
本発明の請求項４に記載の発明は、請求項１乃至３の内いずれか１に記載の目元保護テープであって、前記基材及び前記パッド材の上縁、又は、前記パッド材の上縁が、湾入した曲線状に形成された構成を有している。
この構成により、請求項１乃至３の内いずれか１で得られる作用に加え、以下のような作用が得られる。
（１）基材及びパッド材の上縁、又は、パッド材の上縁が、湾入した曲線状に形成されているので、瞼縁にパッド材の上縁を沿わせて目元に貼付できるため、瞼縁とパッド材の隙間からグルーやパーマ液が皮膚に付着したり目に沁みたりすることを防止できる。
【００１６】
本発明の請求項５に記載の発明は、請求項１乃至４の内いずれか１に記載の目元保護テープであって、前記パッド材に美容液を含浸又は塗布している構成を有している。
この構成により、請求項１乃至４の内いずれか１で得られる作用に加え、以下のような作用が得られる。
（１）まつ毛にパーマを施したり付けまつ毛を装着したりする作業は長時間を要するので、目元に接触するパッド材に美容液を含浸又は塗布しているので、目元の肌理、たるみ、くぼみ、クマ、しわ等を改善して、みずみずしい肌へ整えることができる。
（２）美容液を含んだパッド材はグルーやパーマ液等を吸収しないため、パッド材に吸収されたグルーやパーマ液が皮膚に接触したり目に沁みたりするのを防止できる。
【００１７】
ここで、美容液としては、保湿成分や美白成分等の美容成分が１種若しくは２種以上配合されたものが用いられる。美容成分としては、公知のものを特に制限なく用いることができるが、例えば、コラーゲン、蜂蜜、セラミド、トレハロース、コエンザイムＱ１０、スクワラン、ビタミンＣ、ビタミンＥ、ビタミンＡ、ビタミンＫ、アルジレリン、リコピン、油溶性肝草エキス、水溶性プラセンタエキス、アラントイン、海草エキス、アシル化ケフィライン水溶液、麦芽エキス、Ｎ−アセチル−Ｌ−チロシン、カッコン、ヒアルロン酸又はその塩類、トラネキサム酸、アイプライトエキス、ゴールデンシール、ローズ油、アミノ酸類、有機ゲルマニウム、マトリカイン、リピジュア（登録商標）、アロエエキス、ヨーグルトの乳清成分、カフェイン、レチノール、ハイドロキノン等を挙げることができる。
美容液は、液剤、ローション、クリーム、ゲル又はゲル状クリームとして、パッド材に含浸又は塗布して用いることができる。
【発明の効果】
【００１８】
以上のように、本発明の目元保護テープによれば、以下のような有利な効果が得られる。
請求項１に記載の発明によれば、
（１）まつ毛にマスカラを塗布したり、まつ毛にパーマを施したり、あるいは付けまつ毛を装着したりする際に目元に貼付して、パーマ液やグルー，マスカラが目元に付着しないようにしたり、目元を塗布具やピンセット等で傷付けられないようにすることができ、さらに、施術者側は目元を保護しているという安心感があるため、まつ毛等の作業に集中することができ作業時間の短縮につながる目元保護テープを提供できる。
（２）粘着層にパッド材が貼付されているので、粘着層が露出する面積を少なくすることができ、目元に貼付した際に粘着剤で違和感が生じたり目が刺激されたりするのを防止し、また皮膚の弱い人が粘着剤でかぶれてしまうのを防止でき、さらに作業を終えて剥がすときには皮膚に与える負担を少なくすることができる目元保護テープを提供できる。
（３）作業を終えて剥がしたときに皮膚に粘着剤が残ったとしても、その面積が狭いので拭き取りに要する時間は短くてすみ作業性に優れ、また粘着剤を拭き取る面積が狭いため強く擦らなくても拭き取りが可能なので、拭き取りの際に皮膚を圧迫することがなく皮膚に黒ずみが生じるのを防止できる目元保護テープを提供できる。
【００１９】
請求項２に記載の発明によれば、請求項１の効果に加え、
（１）目元に貼付したときに瞼や瞼縁にパッド材は接触するが、粘着層が接触することはないため、粘着層による瞼への皮膚刺激やかぶれを緩和することができる目元保護テープを提供できる。
【００２０】
請求項３に記載の発明によれば、請求項２の効果に加え、
（１）パッド材の両側縁と下縁を皮膚に密着させることができるため、皮膚とパッド材との間に隙間が生じ難いので、皮膚とパッド材の隙間からグルーやパーマ液が皮膚に付着したり目に沁みたりすることを防止できる目元保護テープを提供できる。
【００２１】
請求項４に記載の発明によれば、請求項１乃至３の内いずれか１の効果に加え、
（１）瞼縁にパッド材の上縁を沿わせて目元に貼付できるため、瞼縁とパッド材の隙間からグルーやパーマ液が皮膚に付着したり目に沁みたりすることを防止できる目元保護テープを提供できる。
【００２２】
請求項５に記載の発明によれば、請求項１乃至４の内いずれか１の効果に加え、
（１）まつ毛にパーマを施したり付けまつ毛を装着したりする作業は長時間を要するので、その時間を利用して、目元の肌理、たるみ、くぼみ、クマ、しわ等を改善して、みずみずしい肌へ整えることができる目元保護テープを提供できる。
【発明を実施するための最良の形態】
【００２３】
以下、本発明を実施するための最良の形態を、図面を参照しながら説明する。
（実施の形態１）
図１（ａ）は本発明の実施の形態１における目元保護テープの平面図であり、（ｂ）は実施の形態１における目元保護テープの背面図であり、（ｃ）は図１（ａ）のＡ−Ａ線における断面図とその要部を拡大した断面図である。
図中、１は本発明の実施の形態１における目元保護テープ、２は紙，不織布，合成樹脂製フィルム等で略三日月型に形成された基材、３は湾入した曲線状に形成された基材２の上縁、４は上縁３から両側に曲線状に湾出して形成された基材２の両側縁、５は両側縁４から下側に曲線状に湾出して形成された基材２の下縁、６は天然ゴム系，合成ゴム系，アクリル酸系重合体等の粘着剤が塗布されて基材２の裏面に形成された粘着層、７は天然繊維，合成繊維の織布，不織布又は紙等で基材２よりも小さめの略三日月型に形成され粘着層６に貼付されたパッド材、８は湾入した曲線状に形成されて基材２の上縁３と重ねて粘着層６に貼付されたパッド材７の上縁、９は上縁８から両側に曲線状に湾出して形成され基材２の両側縁４の内側に位置するように粘着層６に貼付されたパッド材７の両側縁、１０は両側縁９から下側に曲線状に湾出して形成され基材２の下縁５の内側に位置するように粘着層６に貼付されたパッド材７の下縁、１１は合成樹脂製フィルム，紙，金属箔等で形成され粘着層６に貼着されて粘着層６及びパッド材７を覆う剥離シートである。
【００２４】
以上のように構成された本発明の実施の形態１における目元保護テープについて、図面を参照して、以下その使用方法を説明する。
図２は実施の形態１における目元保護テープを目元に貼付した状態を示す図である。
目元保護テープ１を剥離シート１１から剥がした後、パッド材７の上縁８を目の際（瞼縁）に沿わせながらパッド材７を下眼瞼に当てて、粘着層６を皮膚に貼付し下眼瞼を覆って目元を保護する。目元保護テープ１を貼付された人は、図２に示すように目を閉じ、施術者は、この状態でまつ毛にマスカラを塗布したりパーマを施したり、あるいは付けまつ毛を装着したりする。
【００２５】
以上のように、本発明の実施の形態１における目元保護テープは構成されているので、以下のような作用が得られる。
（１）フィルム状に形成された基材２と、基材２の一面に形成された粘着層６と、粘着層６に貼付されたパッド材７と、を備えているので、まつ毛にマスカラを塗布したり、まつ毛にパーマを施したり、あるいは付けまつ毛を装着したりする際に目元に貼付して、パーマ液やグルー，マスカラが目元に付着しないようにしたり、目元を塗布具やピンセット等で傷付けられないようにすることができる。さらに、施術者側は目元を保護しているという安心感があるため、まつ毛等の作業に集中することができ作業時間の短縮につながる。
（２）粘着層６にパッド材７が貼付されているので、粘着層６が露出する面積を少なくすることができ、目元に貼付した際に粘着剤で違和感が生じたり目が刺激されたりするのを防止し、また皮膚の弱い人が粘着剤でかぶれてしまうのを防止でき、さらに作業を終えて剥がすときには皮膚に与える負担を少なくすることができる。
（３）作業を終えて目元保護テープ１を剥がしたときに皮膚に粘着剤が残ったとしても、露出した粘着層６の面積が狭いので粘着剤の拭き取りに要する時間は短くてすみ作業性に優れ、また粘着剤を拭き取る面積が狭いため強く擦らなくても拭き取りが可能なので、拭き取りの際に皮膚を圧迫することがなく皮膚に黒ずみが生じるのを防止できる。
（４）パッド材７の上縁８が基材２の上縁３と重なり、パッド材７の両側縁９が基材２の両側縁４の内側に位置するように粘着層６に貼付されているので、目元に貼付したときに瞼や瞼縁にパッド材７は接触するが、粘着層６が接触することはないため、粘着層６による瞼への皮膚刺激やかぶれを緩和することができる。また、目元保護テープ１を下眼瞼に貼付したときに粘着層６に下まつ毛が貼着されるのを防止できるため、目元保護テープ１を下眼瞼から剥がす際に下まつ毛が引っ張られて抜けたり痛んだりするのを防止できる。
（５）パッド材７の下縁１０が、基材２の下縁５の内側に位置するように粘着層６に貼付されているので、パッド材７の両側縁９と下縁１０を皮膚に密着させることができるため、皮膚とパッド材７との間に隙間が生じ難いので、皮膚とパッド材７の隙間からグルーやパーマ液が皮膚に付着したり目に沁みたりすることを防止できる。
（６）基材２の上縁３及びパッド材７の上縁８が重なって、湾入した曲線状に形成されているので、瞼縁にパッド材７の上縁８を沿わせて目元に貼付できるため、瞼縁とパッド材７の隙間からグルーやパーマ液が皮膚に付着したり目に沁みたりすることを防止できる。
【００２６】
ここで、本実施の形態において、パッド材７にＬ−メントール等の清涼剤を含浸又は塗布する場合もある。これにより、目元に貼付した際に清涼感を与えることができる。また、パッド材７に、深層水，ミネラル水等の水、グリセリン等の保湿成分を添加した化粧水を含浸する場合もある。これにより、皮膚を整えることができ、さらに水分を含んだパッド材７はグルーやパーマ液等を吸収しないため、パッド材７に吸収されたグルーやパーマ液が皮膚に接触したり目に沁みたりするのを防止できる。
また、パッド材７に美容液を塗布又は含浸する場合もある。これにより、まつ毛にパーマを施したり付けまつ毛を装着したりする作業の間に、美容液を皮膚に接触させて、目元の肌理、たるみ、くぼみ、クマ、しわ等を改善して、みずみずしい肌へ整えることができる。
【００２７】
（実施の形態２）
図３（ａ）は本発明の実施の形態２における目元保護テープの平面図であり、（ｂ）は図３（ａ）のＢ−Ｂ線における断面図である。
図中、１ａは本発明の実施の形態２における目元保護テープ、２ａは紙，不織布，合成樹脂製フィルム等で横長の略矩形状に形成された基材、３ａは湾入した曲線状に形成された基材２ａの上縁、４ａは上縁３ａから両側に曲線状に湾出して形成された基材２ａの両側縁、５ａは両側縁４ａから下側に形成された基材２ａの直線状の下縁、６ａは粘着剤が塗布されて基材２ａの裏面に形成された粘着層、７ａは天然繊維，合成繊維の織布，不織布又は紙等で基材２ａよりも小さめの略矩形状に形成され粘着層６ａに貼付されたパッド材、８ａは湾入した曲線状に形成されて基材２ａの上縁３ａと重ねて粘着層６ａに貼付されたパッド材７ａの上縁、９ａは直線状に形成され基材２ａの両側縁４ａの内側に位置するように粘着層６ａに貼付されたパッド材７ａの両側縁、１０ａは両側縁９ａを結ぶ直線状に形成され基材２ａの下縁５ａの内側に位置するように粘着層６ａに貼付されたパッド材７ａの下縁、１２は基材２ａの複数個所に形成された略円形の通気孔である。
【００２８】
以上のように構成された実施の形態２における目元保護テープ１ａの使用方法は、実施の形態１で説明したものと同様なので、説明を省略する。
【００２９】
以上のように、本発明の実施の形態２における目元保護テープは構成されているので、実施の形態１に記載した作用に加え、以下のような作用が得られる。
（１）基材２ａに通気孔１２が形成されているので通気性を高めることができ、目元に貼付した際に、目元からの発汗や皮膚呼吸を妨げないようにして、汗による皮膚刺激を緩和できる。
【００３０】
ここで、実施の形態２においては、通気孔１２が略円形の場合を説明したが、形状は特に制限されず、直線状、曲線状、十字状等に形成されたものを用いる場合もあり、これらの場合も同様の作用が得られる。
【００３１】
（実施の形態３）
図４（ａ）は本発明の実施の形態３における目元保護テープの平面図であり、（ｂ）は図４（ａ）のＣ−Ｃ線における断面図である。
図中、１ｂは本発明の実施の形態３における目元保護テープ、２ｂは紙，不織布，合成樹脂製フィルム等で横長の略矩形状に形成された基材、３ｂは基材２ｂの一辺から対向する辺に向かって凹状に大きく切り込まれて形成された基材２ｂの上縁、４ｂは基材２ｂの両側縁、５ｂは基材２ｂの下縁、６ｂは粘着剤が塗布されて基材２ｂの裏面に形成された粘着層、７ｂは天然繊維，合成繊維の織布，不織布又は紙等で略矩形状に形成され粘着層６ｂに貼付されたパッド材、８ｂは湾入した曲線状に形成されて基材２ｂの上縁３ｂから上方に突出したパッド材７ｂの上縁、９ｂは直線状に形成され基材２ｂの両側縁４ｂの内側に位置するように粘着層６ｂに貼付されたパッド材７ｂの両側縁、１０ｂは両側縁９ｂを結ぶ直線状に形成され基材２ｂの下縁５ｂの内側に位置するように粘着層６ｂに貼付されたパッド材７ｂの下縁である。
【００３２】
以上のように構成された実施の形態３における目元保護テープ１ｂの使用方法は、実施の形態１で説明したものと同様なので、説明を省略する。
【００３３】
以上のように、本発明の実施の形態３における目元保護テープは構成されているので、実施の形態１に記載した作用に加え、以下のような作用が得られる。
（１）基材２ｂの上縁３ｂが基材２ｂの一辺から凹状に大きく切り込まれて形成されているので、パッド材７ｂの通気性が基材２ｂで損なわれることがなく、目元に貼付した際に、目元からの発汗や皮膚呼吸を妨げないようにして、汗による皮膚刺激を緩和できる。
（２）貼付したときの下目瞼への圧迫感がなく、かつ発汗の蒸散作用に優れる。
【００３４】
（実施の形態４）
図５（ａ）は本発明の実施の形態４における目元保護テープの平面図であり、（ｂ）は図５（ａ）のＤ−Ｄ線における断面図である。
図中、１ｃは本発明の実施の形態４における目元保護テープ、２ｃは紙，不織布，合成樹脂製フィルム等で横長の略矩形状に形成された基材、３ｃは湾入した曲線状に形成された基材２ｃの上縁、４ｃは基材２ｃの両側縁、５ｃは基材２ｃの下縁、６ｃは粘着剤が塗布されて基材２ｃの裏面に形成された粘着層、７ｃは天然繊維，合成繊維の織布，不織布又は紙等で略矩形状に形成され粘着層６ｃに貼付されたパッド材、８ｃは湾入した曲線状に形成されて基材２ｃの上縁３ｃから上方に突出したパッド材７ｃの上縁、９ｃは基材２ｃの両側縁４ｃの内側に位置するように粘着層６ｃに貼付されたパッド材７ｃの両側縁、１０ｃは両側縁９ｃを結ぶ直線状に形成され基材２ｃの下縁５ｃの内側に位置するように粘着層６ｃに貼付されたパッド材７ｃの下縁である。
【００３５】
以上のように構成された実施の形態４における目元保護テープ１ｃの使用方法は、実施の形態１で説明したものと同様なので、説明を省略する。
【００３６】
以上のように、本発明の実施の形態４における目元保護テープは構成されているので、実施の形態１に記載した作用に加え、以下のような作用が得られる。
（１）パッド材７ｃの上縁８ｃが基材２ｃの上縁３ｃよりも少し突出しているので、涙等を素早く吸収することができる。
【００３７】
（実施の形態５）
図６（ａ）は本発明の実施の形態５における目元保護テープの平面図であり、（ｂ）は図６（ａ）のＥ−Ｅ線における断面図である。
図中、１ｄは本発明の実施の形態５における目元保護テープ、２ｄは紙，不織布，合成樹脂製フィルム等で横長の略矩形状に形成された基材、３ｄは湾入した曲線状に形成された基材２ｄの上縁、４ｄは基材２ｄの両側縁、５ｄは基材２ｄの下縁、６ｄは粘着剤が塗布されて基材２ｄの裏面に形成された粘着層、７ｄは天然繊維，合成繊維の織布，不織布又は紙等で略矩形状に形成され粘着層６ｄに貼付されたパッド材、８ｄは湾入した曲線状に形成されて基材２ｄの上縁３ｄと重なるように粘着層６ｄに貼付されたパッド材７ｄの上縁、９ｄは基材２ｄの両側縁４ｄの内側に位置するように粘着層６ｄに貼付されたパッド材７ｄの両側縁、１０ｄは両側縁９ｄを結ぶ直線状に形成され基材２ｄの下縁５ｄと重なるように粘着層６ｄに貼付されたパッド材７ｄの下縁である。
【００３８】
以上のように構成された実施の形態５における目元保護テープ１ｄの使用方法は、実施の形態１で説明したものと同様なので、説明を省略する。
【００３９】
以上のように、本発明の実施の形態５における目元保護テープは構成されているので、実施の形態１に記載した作用に加え、以下のような作用が得られる。
（１）パッド材７ｄが基材２ｄの両端を除いて貼付されているだけなので、構造が単純なため生産性に優れる。
【産業上の利用可能性】
【００４０】
本発明は、まつ毛にマスカラを塗布したり、まつ毛にパーマを施したり、あるいは付けまつ毛を装着したりする際に、目元に貼付する目元保護テープに関し、パーマ液やグルー，マスカラが目元に付着しないようにしたり、目元を塗布具やピンセット等で傷付けられないようにすることができ、また、目元に貼付した際に粘着剤で違和感が生じたり目が刺激されたりするのを防止するとともに、皮膚の弱い人が粘着剤でかぶれてしまうのを防止でき、また作業を終えて剥がしたときに皮膚に粘着剤が残ったとしても、その面積が狭いので拭き取りに要する時間は短くてすみ作業性に優れ、さらに施術者側は目元を保護しているという安心感があるため、まつ毛等の作業に集中することができ作業時間の短縮を図ることができる目元保護テープを提供できる。
【図面の簡単な説明】
【００４１】
【図１】（ａ）実施の形態１における目元保護テープの平面図  （ｂ）実施の形態１における目元保護テープの背面図  （ｃ）図１（ａ）のＡ−Ａ線における断面図とその要部を拡大した断面図
【図２】実施の形態１における目元保護テープを目元に貼付した状態を示す図
【図３】（ａ）実施の形態２における目元保護テープの平面図  （ｂ）図３（ａ）のＢ−Ｂ線における断面図
【図４】（ａ）実施の形態３における目元保護テープの平面図  （ｂ）図４（ａ）のＣ−Ｃ線における断面図
【図５】（ａ）実施の形態４における目元保護テープの平面図  （ｂ）図５（ａ）のＤ−Ｄ線における断面図
【図６】（ａ）実施の形態５における目元保護テープの平面図  （ｂ）図６（ａ）のＥ−Ｅ線における断面図
【符号の説明】
【００４２】
１，１ａ，１ｂ，１ｃ，１ｄ  目元保護テープ
２，２ａ，２ｂ，２ｃ，２ｄ  基材
３，３ａ，３ｂ，３ｃ，３ｄ  上縁
４，４ａ，４ｂ，４ｃ，４ｄ  両側縁
５，５ａ，５ｂ，５ｃ，５ｄ  下縁
６，６ａ，６ｂ，６ｃ，６ｄ  粘着層
７，７ａ，７ｂ，７ｃ，７ｄ  パッド材
８，８ａ，８ｂ，８ｃ，８ｄ  上縁
９，９ａ，９ｂ，９ｃ，９ｄ  両側縁
１０，１０ａ，１０ｂ，１０ｃ，１０ｄ  下縁
１１  剥離シート
１２  通気孔
【図１】
2009082231.tif 000003
【図２】
2009082231.tif 000004
【図３】
2009082231.tif 000005
【図４】
2009082231.tif 000006
【図５】
2009082231.tif 000007
【図６】
2009082231.tif 000008